(57)【要約】      （修正有）【課題】イカ角を安定した状態で収納し、且つスムーズに海へ投入可能で、作製及び船縁への設置が容易で使い勝手の良いイカ角保持具を提供する。【解決手段】裏面に滑り止め部材３を貼着した略矩形平板状の台座２と，仕切部材４，…と，錘置部５，５とを有し、船縁上に載置して用いられるイカ角保持具１である。台座２及び仕切部材４はステンレス鋼で作製され、切断面が面取りされている。仕切部材４は、立設部４ａ及び水平部４ｂを備え、断面形状が略Ｌ字形状をなすアングル材であり、台座２の短手方向に沿って、台座２上に隙間なく複数個並べられ、台座２に接着されている。水平部４ｂは、傘針用孔４ｃが厚さ方向に穿設されている。錘置部５が台座２の長手方向の両端部それぞれに設けられるので、右利き及び左利きの人共に使い勝手が良い。【選択図】図１
0003193611.tif 000002
【実用新案登録請求の範囲】
【請求項１】
略矩形平板状で裏面に滑り止め部材が貼着された台座と，
該台座上に当接され、該台座の短手方向に沿って複数並設された仕切部材と，
該台座上の端部に設けられた錘置部とを有し、船縁に載置して用いるイカ角保持具であって、
前記仕切部材は、断面形状が略Ｌ字形状をなし、立設部及び水平部を備えたアングル材であり、
前記水平部は、厚さ方向に傘針用孔が穿設され、
前記錘置部は、滑り止めシート及び該滑り止めシートに周設された枠体を備え，前記台座の長手方向の両端部それぞれに設けられることを特徴とする、イカ角保持具。
【請求項２】
前記台座及び前記仕切部材が、ステンレス鋼で作製されてなることを特徴とする、請求項１に記載のイカ角保持具。
【請求項３】
前記仕切部材の板厚が１．５〜２．５ｍｍであることを特徴とする、請求項１又は請求項２に記載のイカ角保持具。
【請求項４】
前記水平部に穿設された前記傘針用孔は、孔径１９〜２２ｍｍの丸孔であることを特徴とする、請求項１乃至請求項３に記載のイカ角保持具。
【請求項５】
前記仕切部材が、前記台座上に８乃至１２個並設されてなることを特徴とする請求項１乃至請求項４に記載のイカ角保持具。
【請求項６】
前記立設部は、その上側の隅がそれぞれ角丸状に形成され、且つ切断面及び上縁が面取りされてなることを特徴とする請求項１乃至請求項５に記載のイカ角保持具。
【考案の詳細な説明】
【技術分野】
【０００１】
本考案は、イカ角等のイカ釣り用疑似餌を複数保持し、且つそれらをスムーズに海に投入するためのイカ角保持具に関する。
【背景技術】
【０００２】
船上で行うイカ釣りでは、一般的に、一本の幹糸にイカ角・プラ角・スッテ等と呼ばれる複数のイカ釣り用疑似餌（以下、イカ角と記載）を枝素で繋ぎ、先端に錘を繋げた仕掛けが用いられる。
イカ角は、傘針（又はカンナ）と呼ばれる傘状で「かえし」のない針部分と、棒状や魚を模した形状の胴体部分を有し、小さいものは全長が５ｃｍ程度、大きなものは１５ｃｍ程度であるが、全長１０ｃｍ前後のものが主流である。イカ釣りでは多数の針を有する傘針を備えたイカ角を複数用いるので、海に投下する際や引き揚げる際に仕掛けが絡まりやすく、それらを解く作業は煩雑であり、手間取るとイカの群れを逃がしてしまうという問題があった。
【０００３】
上記問題を解決するために、傘針が仕掛けと絡まないように複数のイカ角を個別に収納できる、様々な釣用品に関する技術が開示されており、特に複数の円筒体にイカ角を個別に収納する構成のイカ角保持具に関する技術が多数開示されている（例えば、特許文献１）。該イカ角保持具は、幹糸及び枝素で繋がれた複数のイカ角を、繋がれた順番通りに上記筒状体へ収納した後、仕掛けの先端に繋がれた錘を海へ投げ入れると、複数のイカ角を順番に連続して海に投下できる構成である。特許文献１に記載のイカ角保持具は、シャフトにより回転可能に支持された複数の円筒体を有し、該円筒体の下部に設けたウエイトの作用で開口部が常に上を向いた状態で保持されるので、イカ角を収納し易いし、イカ角を海へ投入する際には円筒体が順次シャフトを中心として回転するので、円滑に投下されるという構成である。
【０００４】
また、磁石等の吸着材料に傘針を吸着させてイカ角を保持する技術も開示されている（例えば、特許文献２）。特許文献２に記載されたイカ角保持具は、テーパ状をなした一対の保持板と、磁性を有する吸着部を具備し、針部分を吸着部に吸着させてイカ角を保持することで、針部分が仕掛けに絡まることを防ぐ構成である。
【先行技術文献】
【特許文献】
【０００５】
【特許文献１】特開２００５−９５１２７号公報
【特許文献２】特開２０１２−２１３３３０号公報
【考案の概要】
【考案が解決しようとする課題】
【０００６】
しかしながら、上記特許文献１及び２に記載のイカ角保持具は、構造が複雑なため、保持具自体に仕掛けが引っ掛かり易く、作製も容易ではなかった。また、船縁へ設置する際、クランプ状の部材で船縁とイカ角保持具を挟んで固定しなくてはならず、煩雑であった。特許文献１に記載されるイカ角保持具においては、船が揺れると円筒体が回転してしまい、円筒体の開口部が動いてイカ角の出し入れがスムーズに行われず、仕掛けが絡まるおそれがあった。
【０００７】
上記問題点に鑑み、本考案は、イカ角を迅速に安定した状態で収納でき、仕掛けが絡まることなくスムーズにイカ角を海へ投入可能で、且つ作製及び船縁への設置が容易で使い勝手の良いイカ角保持具を提供することを課題とする。
【課題を解決するための手段】
【０００８】
上記課題を解決するための第１の考案は、略矩形平板状で裏面に滑り止め部材が貼着された台座と，当該台座上に当接され、当該台座の短手方向に沿って複数並設された仕切部材と，当該台座上の端部に設けられた錘置部とを有し、船縁に載置して用いるイカ角保持具であって、上記仕切部材は、断面形状が略Ｌ字形状をなし、立設部及び水平部を備えたアングル材であり、上記水平部は、厚さ方向に傘針用孔が穿設され、上記錘置部は、滑り止めシート及び該滑り止めシートに周設された枠体を備え，上記台座の長手方向の両端部それぞれに設けられてなるイカ角保持具である。
【０００９】
第２の考案は、上記台座及び上記仕切部材が、ステンレス鋼で作製されてなる、第１の考案に係るイカ角保持具である。
【００１０】
第３の考案は、上記仕切部材の板厚が１．５〜２．５ｍｍである、第１又は第２の考案に係るイカ角保持具である。
【００１１】
第４の考案は、上記水平部に穿設された上記傘針用孔は、孔径１９〜２２ｍｍの丸孔である、第１乃至第３の考案に係るイカ角保持具である。
【００１２】
第５の考案は、上記仕切部材が、上記台座上に８乃至１２個並設されてなる、第１乃至第４の考案に係るイカ角保持具である。
【００１３】
第６の考案は、上記立設部が、その上側の隅それぞれを角丸状に形成され、且つ切断面及び上縁を面取りされてなることを特徴とする第１乃至第５の考案に係るイカ角保持具である。
【考案の効果】
【００１４】
本考案のイカ角保持具によれば、複数の仕切部材により区分けされた複数のスペースができるので、該スペースにイカ角をそれぞれ収納すると、台座がその長手方向に揺れ動いても、立設部がイカ角の動きを制御するためイカ角を安定して保持できる。更に、仕切部材の水平部に穿設された傘針用孔に傘針を入れてイカ角を収納すると、台座がその短手方向に揺れ動いても、傘針の針先が傘針用孔の内縁に引っ掛かって留まるので、イカ角の動きを制御し、安定した状態で保持できる。幹糸及び枝素で繋がれた複数のイカ角を、繋がれた順番通りに上記スペースへ順番に収納した後、仕掛けの先端に繋がれた錘を海へ投げ入れると、収納したイカ角が傘針を中心にして回転しながら順番に海に投下されるので、傘針と仕掛けが絡まり難く、複数のイカ角をスムーズに海に投下できる。
台座の長手方向の両端部それぞれに錘置部が設けられており、任意の錘置部を選択できるので、利き手側の錘置部を利用すると、錘を海に投入する際に仕掛けが交錯せず、スムーズに投入できるし、滑り止めシート上に錘を載置すると、錘が動き難く、安定した状態で保持される。
また、本考案のイカ角保持具は少ない部材からなり、構造が簡単なので、作製及び手入れが容易であり、仕掛けが引っ掛かり難く、使用方法も簡便で使い勝手が良い。
【００１５】
第２の考案によれば、ステンレス鋼で作製されるので、耐食性に優れ、海辺及び海上での利用に好適である。また、ステンレス鋼の比重により適度な重量が得られるので、船縁上に載置するだけで、当該重量により生ずる重力と、滑り止め部材と船縁間に生ずる摩擦力により、風や波の影響を受けても船縁上で動き難く、設置が容易である。
【００１６】
第３の考案によれば、仕切部材の板厚が１．５〜２．５ｍｍであるから傘針用孔の深さが１．５〜２．５ｍｍになり、傘針用孔に傘針を収納すると、傘針の針先が傘針用孔の内縁に程良く引っ掛かるので、イカ角を安定した状態で保持できるし、イカ角を海へ投入する際には傘針用孔に収納された傘針が程良く離れるので、海への投入がスムーズに行える。また、仕切部材の板厚が１．５〜２．５ｍｍであるので、船縁上で利用する際に、風や波の影響を受けても動き難い程度の重量が得られるし、且つ重くなりすぎないので、持ち運び等の取扱いが容易である。
【００１７】
第４の考案によれば、一般的に使用されるイカ角の傘針（全長が１３〜１８ｍｍ程度）がスムーズに収納され、且つ傘針の動きを制御する程度の大きさであるため、安定した状態でイカ角を保持でき、使い勝手が良い。
【００１８】
第５の考案によれば、仕切部材で区切られたスペースにイカ角を収納すると、８〜１２個収納できるので、イカ角を用いる一般的なイカ釣りに対応可能で、且つ全体の大きさが携帯可能な大きさとなるため、使い勝手が良い。
【００１９】
第６の考案によれば、立設部４ａの上側の隅がそれぞれ角丸状に形成され、且つ切断面及び上縁が面取りされているので、仕掛けが引っ掛かり難く、幹糸や枝素等の釣り糸が触れたり擦れたりしても破損し難い。
【図面の簡単な説明】
【００２０】
【図１】本考案の実施例を示す斜視図である。
【図２】本考案の実施例を示す平面図である。
【図３】本考案の実施例に係る仕切部材を示す斜視図である。
【図４】実施例に係るイカ角保持具の使用例を示す平面図である。
【図５】実施例に係るイカ角保持具の使用例を示す一部断面側面図である。
【考案を実施するための形態】
【００２１】
以下に、本考案を実施するための形態を、実施例を示す図面を参照して詳細に説明する。
【実施例】
【００２２】
図１は、本考案の実施例を示す全体斜視図であり、図２は、本考案の実施例を示す平面図である。図１及び図２に示すように、本考案のイカ角保持具１は、裏面に滑り止め部材３を貼着した略矩形平板状の台座２と，アングル状の仕切部材４，…と，錘置部５，５とを有し、船縁３０上に載置して用いられる。
台座２及び仕切部材４は、ステンレス鋼（例えば、ステンレス鋼のＳＵＳ３０４）で作製されている。また、台座２及び仕切部材４は、これらの部材に幹糸や枝素等の釣り糸が触れたり擦れたりしても切れないように、全ての切断面が面取りされている。台座２及び仕切部材４は、風や波の影響を受け難く、安定した状態で船縁３０上に載置される程度の重量を得られる比重があり，傘針１０ａの針先が刺さり難い程度の堅牢性を有し，海辺及び海上での使用に適する耐食性を有するステンレス鋼が好適な材料として用いられるが、これに限定されるものではない。
【００２３】
台座２は、横幅４５０ｍｍ、奥行き１４０ｍｍ、板厚１．５ｍｍの略矩形平板状で、裏面には、台座２と略等しい大きさの滑り止め部材３が貼着されている。台座２の大きさ及び板厚は、これに限定されるものではなく、使用するイカ角を保持するのに適する大きさで、船縁３０上に載置して利用される際に風や波の影響を受けても動き難く，且つ持ち運びが不便でない程度の重量を生ずる板厚であればよい。また、滑り止め部材３の材質及び貼着方法は、特に限定されるものでなく、例えば、ウレタン系，アクリル系，ゴム系，シリコンゴム系等の材料で作製された滑り止め用のマットやシートを、両面テープ等の粘着剤で貼付する等の方法を適用できる。
【００２４】
台座２の四隅近傍には、台座２及び滑り止め部材３を貫通する係止用孔２ａ，…が、それぞれ穿設されている。イカ角保持具１は、船縁３０上に載置して利用される際に、その重力と、滑り止め部材３及び船縁３０間の摩擦力により、風や波の影響を受けても動き難いが、万が一、船縁３０からずれ動いても海側へ落下しないように、フックを付けたテグス等の紐を、係止用孔２ａ，…に通して船縁３０に引っ掛けたり、船上に置いた重石等（例えば、石やクーラーボックス等）に括りつけたりして用いてもよい。イカ角保持具１をより安定した状態で船縁３０に載置できる他、作業中に滑り止め部材３と船縁３０との隙間に釣糸が入り引っ掛かってしまうことを阻止する作用効果も奏する。また、係止用孔２ａ，…を用いてイカ角保持具１を船縁３０に直接ビス留めしてもよい。
【００２５】
仕切部材４は、図３に示すように、立設部４ａ及び水平部４ｂを備え、断面形状が略Ｌ字形状をなすアングル材である。仕切部材４は、板厚２．０ｍｍのステンレス鋼で作製され、図１及び図２に示すように、台座２の短手方向に沿って、台座２上に隙間なく８個並設され、エポキシ系接着剤で台座２に接着されている。台座２に接着される仕切部材４の数は、一般的に、イカ角が５個セットで市販され、それらのイカ角全てを用いた仕掛けが利用されることから、５個以上とすることが好ましく、また、イカ角保持具１の持ち運び易さや、イカ釣りに用いるイカ角の数が一般的に５〜１２個程度であることを考慮して１２個以下とすることが好ましい。更には、イカ釣りに慣れると８個以上のイカ角を繋げて用いることが多いので、イカ角を用いる一般的なイカ釣りに対応し得るように、８〜１２個とすることがより好ましい。
【００２６】
立設部４ａは、高さ２０ｍｍ、奥行き１００ｍｍの略矩形平板状であり、台座２の短手方向に沿って立設され、台座２上のスペースを区分けしている。また、立設部４ａは、仕掛けが引っ掛かり難いようにその上側の隅がそれぞれ角丸状に形成され、且つ切断面及び上縁が面取りされている。立設部４ａの大きさ及び形状は、収納するイカ角１０が波や風の影響を直接受けず安定した状態で保持できる程度の大きさで、仕掛けが引っ掛かり難い形状であれば良く、収納するイカ角１０の大きさや形状によって適宜変更してもよい。
【００２７】
水平部４ｂは、横幅２９ｍｍ、奥行き１００ｍｍの略矩形平板状であり、台座２の短手方向に沿って、台座２上に当接されている。水平部４ｂの大きさは、これに限定されず、収納されるイカ角１０の大きさ合わせればよいが、市販されている一般的なイカ角（全長約１００ｍｍ、横幅約２０ｍｍ）を収納する場合は、奥行きを１００〜１４０ｍｍとし、イカ角の出し入れを容易にするため横幅を２５ｍｍ以上、且つイカ角が水平部４ｂの短手方向に動くのを制御し得る程度の３５ｍｍ以下とするのが好ましく、更には約２９ｍｍとするのが好ましい。
【００２８】
また、水平部４ｂは、その長手方向の一端から２３ｍｍの位置に、イカ角１０の傘針１０ａを収納するための傘針用孔４ｃ（孔径１９ｍｍの丸孔）が厚さ方向に穿設されている。傘針用孔４ｃの形状，大きさ及び位置は、これに限らず、傘針１０ａを収納可能なものであれば良いが、市販されている一般的なイカ角１０の傘針１０ａ（針部分の全長が約１３〜１８ｍｍ）を収納可能な、孔径１９〜２２ｍｍの丸孔とするのが好ましく、更には、傘針１０ａが収納され易く，且つ傘針の動きを制御し、イカ角を安定した状態で保持できる程度の孔径約１９ｍｍの丸孔とするのが最も好ましい。尚、傘針用孔４ｃは、傘針１０ａの針先が引っ掛かり易いように、例外として面取りされない。
【００２９】
仕切部材４の板厚（傘針用孔４ｃの深さ）は、上述した２．０ｍｍに限定されるものではないが、傘針１０ａの針先が傘針用孔４ｃの内縁に程良く引っ掛かってイカ角１０を安定した状態で保持でき、且つイカ角１０を海へ投入する際には傘針１０ａが程良く離れる程度、例えば１．５〜２．５ｍｍが好ましく、２．０ｍｍ程度が更に好ましい。また、板厚１．５〜２．５ｍｍのステンレス鋼で作製されると、イカ角保持具１を船縁３０上に設置した際に波や風の影響を受けても動き難い程度の重力が生じ，且つ持ち運びを不便に感じない程度の重量となるので好ましい。
【００３０】
錘置部５，５は、台座２上において、台座２の長手方向の両端部それぞれに設けられている。錘置部５は、ステンレス鋼で作製され，台座２上にエポキシ系接着剤にて接着された、略矩形枠状の枠体５ａ（横幅７０ｍｍ、奥行き９０ｍｍ、枠幅１０ｍｍ、板厚３ｍｍ）と、該枠体５ａの内側に配置され、台座２上に貼着された厚み約２ｍｍの滑り止めシート５ｂとからなる。錘置部５は、台座２の長手方向の端部の何れかに設けられても良いが、台座２の両端部それぞれに設けると、左利き・右利きの人共に使い勝手が良く便利である。錘置部５の大きさ及び形状は上記に限定されず、使用する錘２２の大きさ及び形状に適宜合わせればよいが、枠体５ａの板厚を滑り止めシート５ｂの厚みより大きくすると、錘２２が滑り止めシート５ｂ上で動いても、枠体５ａの内壁に引っ掛かって止まるので、錘２２を安定した状態で保持できる。滑り止めシート５ｂの材質及び貼着方法は特に限定されるものではなく、例えば、ウレタン系，アクリル系，ゴム系，シリコンゴム系等の材料で作製された滑り止め用のシートやマットを、両面テープ等の粘着剤で貼付する等の方法を適用できる。
【００３１】
本実施例に係るイカ角保持具１の使用例を図４及び図５を用いて説明する。イカ角保持具１は、その長手方向が船縁３０に沿うように配置される。また、水平部４ｂに穿設された傘針用孔４ｃがイカ角保持具１の中心より海側（錘を投げ入れる側）に位置するように配置される。
次に、台座２上の両端部に設けられた錘置部５，５のうち、利き手側に配置された錘置部５に錘２２を置く。例えば、右利きの人が使用する場合は、錘２２を右手で海に投げ入れるので、海に向かって右側に位置する錘置部５に、錘２２を置く。左利きの人は、海に向かって左側の錘置部５に錘２２を置く。更に、幹糸２０及び枝素２１によって錘２２と繋がれたイカ角１０，…を、繋がれた順番通りに、水平部４ｂ，４ｂ，…へ収納する（錘２２を置いた錘置部５に近い水平部４ｂから順番に収納する）。イカ角１０は、図５に示すように、傘針１０ａを海側（錘を投げ入れる側）、胴部１０ｂを船側（海と反対側）にして並べる。仕切部材４の立設部４ａにより台座２上のスペースが区切られるので、イカ角１０，…は、左右方向への動きが制御され、仕掛けに絡まることなく整然と収納される。
【００３２】
仕切部材４の水平部４ｂに穿設された傘針用孔４ｃに、傘針１０ａが収納されると、傘針１０ａの針先が傘針用孔４ｃの内縁に引っ掛かるので、イカ角１０，…は、前後左右方向への動きが制御され、安定した状態で収納される。尚、台座２及び仕切部材４は、傘針用孔４ｃ以外の全ての切断面が面取りされているので、釣り糸が触れたり擦れたりしても切れる虞がない。錘置部５上に置いた錘２２を海へ投げ入れると、図５に示すように、それに伴って幹糸２０及び枝素２１で繋がれたイカ角１０，…が傘針１０ａを中心にして回転しながら連続して海へ投下される。
【００３３】
イカ角保持具１は、全体の構造がシンプルであり、更に仕切部材４の立設部４ａの上側の隅がそれぞれ角丸状に形成されるので、仕掛けが引っ掛かり難く、傘針を有するイカ角を複数用いるイカ釣りに最適である。一般的な大きさ・形状のイカ角を保持する目的で作製され、仕切部材４を８〜１２個設けたイカ角保持具１は、大きさが横幅４５０〜５００ｍｍ程度、奥行き１４０ｍｍ程度、高さ２２〜２５ｍｍ程度であり、クーラーボックス等に収納して持ち運び可能で使い勝手が良い。また、高さが２２〜２５ｍｍ程度なので重心が低く、船縁３０上で用いられる際に風や船の揺れに影響され難い。
【００３４】
台座２が板厚１．５ｍｍ、仕切部材４が板厚２．０ｍｍのステンレス鋼でそれぞれ作製さるので、イカ角保持具１全体が１．２〜１．５ｋｇ程度の重量になる。よって、イカ角保持具１は、その重力と、滑り止め部材３と船縁３０間の摩擦力により、風や船の揺れに影響され難く、船縁３０上からずれ動かないので、安定した状態で使用される。
【００３５】
台座２上の傘針用孔４ｃ内部に、磁石、例えば円盤状で皿ネジ用の穴が穿設されたネオジウム磁石（直径１８ｍｍ、厚み４ｍｍ）を接着剤や粘着剤等で固定すると、該磁石に釣針を吸着できるので、イカ釣りをはじめ、複数の釣針を使用する釣り、例えば、キンメダイ、アジ、イサキなどの釣りにも好適に活用できる。
【符号の説明】
【００３６】
１    イカ角保持具
２    台座
２ａ  係止用孔
３    滑り止め部材
４    仕切部材
４ａ  立設部
４ｂ  水平部
４ｃ  傘針用孔
５    錘置部
５ａ  枠体
５ｂ  滑り止めシート
１０  イカ角
１０ａ  傘針
１０ｂ  胴部
２０  幹糸
２１  枝素
２２  錘
３０  船縁
【図１】
0003193611.tif 000003
【図２】
0003193611.tif 000004
【図３】
0003193611.tif 000005
【図４】
0003193611.tif 000006
【図５】
0003193611.tif 000007